【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
遊技機が設置される遊技島であって、
前記遊技機から排出される遊技媒体を回収する回収通路と、
前記回収通路にて回収された遊技媒体を清浄する清浄装置と、
前記清浄装置にて清浄される遊技媒体が前記回収通路に所定量以上滞留しているか否かを判定する判定手段と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段と、
前記判定手段が前記所定量以上滞留していないと判定したことに基づいて計時を開始する計時手段と、
前記判定手段が前記所定量以上滞留していると判定したときに、前記計時手段により計時された時間に応じて前記所定時間を変更させる時間変更手段と、
を備える
ことを特徴とする遊技島。
【請求項２】
遊技機が設置される遊技島であって、
前記遊技機から排出される遊技媒体を回収する回収通路と、
前記回収通路にて回収された遊技媒体を清浄する清浄装置と、
前記清浄装置にて清浄される遊技媒体が前記回収通路に所定量以上滞留しているか否かを判定する判定手段と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段と、
前記判定手段が前記所定量以上滞留していると判定したことに基づいて計時を開始する計時手段と、
前記判定手段が前記所定量以上滞留していると判定したときに、前記計時手段により計時された時間に応じて前記所定時間を変更させる時間変更手段と、
を備える
ことを特徴とする遊技島。
【手続補正２】
【補正対象書類名】明細書
【補正対象項目名】０００７
【補正方法】変更
【補正の内容】
【０００７】
前記課題を解決するために、本発明の請求項１に記載の遊技島は、
遊技機（例えば、パチンコ遊技機２）が設置される遊技島（例えば、遊技島１）であって、
前記遊技機から排出される遊技媒体（例えば、遊技球）を回収する回収通路（例えば、回収樋１７，１７、誘導樋１９、流下溝９Ｌ，９Ｒ、接続樋１０Ｌ，１０Ｒ、合流通路１１）と、
前記回収通路にて回収された遊技媒体を清浄する清浄装置（例えば、揚送清浄装置２５）と、
前記清浄装置にて清浄される遊技媒体が前記回収通路に所定量以上滞留しているか否かを判定する判定手段（例えば、揚送清浄制御用コントローラ２２０が、図１０に示す揚送清浄処理におけるステップＳ１０３において近接センサ２１０Ｌ，２１０Ｒ；ｏｎになったか否かを判定する部分）と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段（例えば、揚送清浄制御用コントローラ２２０が、図１０に示す揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記判定手段が前記所定量以上滞留していないと判定したことに基づいて計時を開始する計時手段（例えば、揚送清浄制御用コントローラ２２０が、図１０に示す揚送清浄処理におけるステップＳ１２１において近接センサ２１０Ｌ，２１０Ｒ；ｏｆｆになったと判定したとき、ステップＳ１２５にて停止期間タイマをスタートさせて計時を開始する部分）と、
前記判定手段が前記所定量以上滞留していると判定したときに、前記計時手段により計時された時間に応じて前記所定時間を変更させる時間変更手段（例えば、揚送清浄制御用コントローラ２２０が、図１０に示す揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる部分）と、
を備える
ことを特徴としている。
この特徴によれば、清浄動作を停止したときから回収通路に所定量以上の遊技媒体が滞留するまでの時間が短い場合、つまり、稼働している遊技機が多い場合は清浄動作を早く開始させ、回収通路に所定量以上の遊技媒体が滞留するまでの時間が長い場合、つまり、稼働している遊技機が少ない場合は清浄動作を余裕をもって開始させるなど、遊技機の稼働状況に応じて効率よく清浄動作を行うことが可能となる。
【手続補正３】
【補正対象書類名】明細書
【補正対象項目名】０００８
【補正方法】変更
【補正の内容】
【０００８】
本発明の請求項２に記載の遊技島は、
遊技機（例えば、パチンコ遊技機２）が設置される遊技島（例えば、遊技島１）であって、
前記遊技機から排出される遊技媒体（例えば、遊技球）を回収する回収通路（例えば、回収樋１７，１７、誘導樋１９、流下溝９Ｌ，９Ｒ、接続樋１０Ｌ，１０Ｒ、合流通路１１）と、
前記回収通路にて回収された遊技媒体を清浄する清浄装置（例えば、揚送清浄装置２５）と、
前記清浄装置にて清浄される遊技媒体が前記回収通路に所定量以上滞留しているか否かを判定する判定手段（例えば、揚送清浄制御用コントローラ２２０が、図１５に示す変形例としての揚送清浄処理におけるステップＳ１０３において近接センサ２１０Ｌ，２１０Ｒ；ｏｎになったか否かを判定する部分）と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記判定手段が前記所定量以上滞留していると判定したことに基づいて計時を開始する計時手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定したとき、ステップＳ１０６ａにて清浄開始待ち時間設定用タイマをリセットし、再スタートさせて計時を開始する部分）と、
前記判定手段が前記所定量以上滞留していると判定したときに、前記計時手段により計時された時間に応じて前記所定時間を変更させる時間変更手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定したとき、ステップＳ１０４ａにて清浄開始待ち時間設定用タイマの値が２００〜３００秒の間であるときにはステップＳ１０５にて清浄開始待ちタイマに１２０秒をセットし、ステップＳ１０４ａにて清浄開始待ち時間設定用タイマの値が２００〜３００秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる部分）と、
を備える
ことを特徴としている。
この特徴によれば、清浄動作を開始したときから次に回収通路に所定量以上の遊技媒体が滞留するまでの時間が短い場合、つまり、稼働している遊技機が多い場合は清浄動作を早く開始させ、次に回収通路に所定量以上の遊技媒体が滞留するまでの時間が長い場合、つまり、稼働している遊技機が少ない場合は清浄動作を余裕をもって開始させるなど、遊技機の稼働状況に応じて効率よく清浄動作を行うことが可能となる。